(57)【要約】【課題】  本発明はテレビ番組に関連する情報を端末装置から取得する番組に連動した情報表示システムに関し、特に視聴者が容易かつ短時間で必要な情報に到達することができるテレビ番組に連動した情報表示システムを提供するものである。【解決手段】  楽曲データベース３には、テレビ番組の放送日時情報や当該テレビ番組で流れる音楽の曲名、アーティスト名等の情報と共に、テレビ画面に表示する画面表示情報の画面ＩＤも記憶されている。制御装置４は時計装置５から出力される日時情報に基づいて楽曲データベース３を検索し、日時情報が一致する画面ＩＤを取得し、画面ＩＤに対応する画面表示情報を記憶装置６から読み出し、通信装置８を介して携帯電話機２に送信し、携帯電話機２のディスプレイに表示する。【選択図】  図１
2009016968.tif 000002
【特許請求の範囲】
【請求項１】
テレビ番組の放送日時の情報と、少なくとも該テレビ番組で流れる音楽の曲名及びアーティスト名と、該テレビ番組の画面に表示する画面表示情報の画面ＩＤを記憶する第１の記憶手段と、
前記日時情報を計数する時計手段と、
前記テレビ番組の画面に表示する画面表示情報を記憶する第２の記憶手段と、
前記時計手段から出力される日時情報に基づいて、前記第１の記憶手段の検索を行い、一致する日時情報の画面ＩＤを取得し、該画面ＩＤに対応する画面表示情報を前記第２の記憶手段から読み出し、携帯機器に出力し、該携帯機器のディスプレイに前記画面表示情報を表示させる制御手段と、
を有することを特徴とするテレビ番組に連動した情報表示システム。
【請求項２】
前記第１の記憶手段には、前記テレビ番組に出演する歌手や俳優の情報、又は観光地の情報も含まれることを特徴とする請求項１記載のテレビ番組に連動した情報表示システム。
【請求項３】
前記第２の記憶手段から出力される画面表示情報はバッファに一旦格納された後、前記携帯機器からの指示に従って前記携帯機器に送信されることを特徴とする請求項１、又は２記載のテレビ番組に連動した情報表示システム。
【請求項４】
前記携帯機器は、携帯電話機であることを特徴とする請求項１、２、又は３記載のテレビ番組に連動した情報表示システム。
【請求項５】
テレビ番組の放送日時の情報と、少なくとも該テレビ番組で流れる音楽の曲名及びアーティスト名と、該テレビ番組の画面に表示する画面表示情報の画面ＩＤを第１の記憶手段に記憶する記憶処理と、
前記日時情報を計数する時計処理と、
前記テレビ番組の画面に表示する画面表示情報を第２の記憶手段に記憶する記憶処理と、
前記時計処理によって計時された日時情報に基づいて、前記第１の記憶手段の検索を行い、一致する日時情報の画面ＩＤを取得し、該画面ＩＤに対応する画面表示情報を前記第２の記憶手段から読み出し、携帯機器に出力し、該携帯機器のディスプレイに前記画面表示情報を表示させる制御処理と、
を行うことを特徴とするテレビ番組に連動した情報表示方法。
【請求項６】
テレビ番組の放送日時の情報と、少なくとも該テレビ番組で流れる音楽の曲名及びアーティスト名と、該テレビ番組の画面に表示する画面表示情報の画面ＩＤを第１の記憶手段に記憶する処理と、
前記日時情報を計数する処理と、
前記テレビ番組の画面に表示する画面表示情報を第２の記憶手段に記憶する処理と、
前記時計処理によって計時された日時情報に基づいて、前記第１の記憶手段の検索を行い、一致する日時情報の画面ＩＤを取得し、該画面ＩＤに対応する画面表示情報を前記第２の記憶手段から読み出し、携帯機器に出力し、該携帯機器のディスプレイに前記画面表示情報を表示させる処理と、
を実行するプログラムであって、サーバ内のコンピュータによって実行可能な情報取得プログラム。
【発明の詳細な説明】
【技術分野】
【０００１】
本発明は、テレビ番組で流れる音楽やアーティスト等の情報を取得するテレビ番組に連動した情報表示システムに関する。
【背景技術】
【０００２】
今日、テレビ番組の視聴はテレビ受像器による場合だけでなく、携帯電話機等の携帯機器によっても可能である。このような状況において、テレビ番組を通して流れる音楽やアーティストに関して視聴者への影響は大きく、番組によっては様々な種類の音楽を流し、番組の内容に一定の効果を与えている。
【０００３】
このため、視聴者がテレビ番組に関連する情報を直ぐに取得したいと思うことがよくある。例えば、歌番組を見ていた視聴者がその番組で流れた音楽を直ぐにダウンロードしたい場合や、歌手やアーティストの情報を直ちに取得したい場合である。また、旅行番組を見ていた視聴者が番組に出演していた俳優や、番組で紹介された観光地の情報をダウンロードしたい場合などである。
【０００４】
このような場合、従来においては、パーソナルコンピュータ（ＰＣ）や携帯端末を使用して曲名や歌手名、アーティストの名前、地名等の情報を入力し、必要な情報を得ていた。
【０００５】
例えば、特許文献１は従来の音楽コンテンツの検索方法を開示する発明であり、使用者が携帯端末を操作し、移動体通信網を介して音楽サーバに接続し、携帯端末の表示部に検索画面を表示する。使用者は希望する曲名やアーティスト名の情報をキー操作によって入力し、音楽サーバから検索結果を得た後、音楽やアーティストの情報を受信するものである。
【特許文献１】特開２０００−２１４８４９号公報
【発明の開示】
【発明が解決しようとする課題】
【０００６】
しかしながら、従来の検索方法では、必要な情報に辿りつくまで煩雑な操作が必要であり、情報取得まで長時間を要していた。
【０００７】
そこで、本発明は上記のような手間を省き、視聴者が容易に必要な情報に到達することができるテレビ番組に連動した情報表示システムを提供するものである。
【課題を解決するための手段】
【０００８】
上記課題は本発明によれば、テレビ番組の放送日時の情報と、少なくとも該テレビ番組で流れる音楽の曲名及びアーティスト名と、該テレビ番組の画面に表示する画面表示情報の画面ＩＤを記憶する第１の記憶手段と、前記日時情報を計数する時計手段と、前記テレビ番組の画面に表示する画面表示情報を記憶する第２の記憶手段と、前記時計手段から出力される日時情報に基づいて、前記第１の記憶手段の検索を行い、一致する日時情報の画面ＩＤを取得し、該画面ＩＤに対応する画面表示情報を前記第２の記憶手段から読み出し、携帯機器に出力し、該携帯機器のディスプレイに前記画面表示情報を表示させる制御手段とを有するテレビ番組に連動した情報表示システムを提供することによって達成できる。
【０００９】
また、前記第１の記憶手段には、例えば前記テレビ番組に出演する歌手や俳優の情報、又は観光地の情報も含まれる構成である。
【００１０】
また、前記第２の記憶手段から出力される画面表示情報はバッファに一旦格納された後、例えば前記携帯機器からの指示に従って前記携帯機器に送信される構成である。また、前記携帯機器は、例えば携帯電話機である。
【００１１】
さらに、本発明はテレビ番組に連動した情報表示方法、又は情報表示プログラムによっても実現可能である。
【発明の効果】
【００１２】
本発明によれば、テレビ番組の情報取得の手間を省き、視聴者が容易に必要な情報に到達することができるテレビ番組に連動した情報表示システム、及び情報表示方法を提供することができる。
【発明を実施するための最良の形態】
【００１３】
以下、図面を参照しながら本発明の実施の形態について説明する。
【００１４】
図１は、本発明のテレビ番組に連動した情報表示システムの全体構成を説明するシステム構成図である。同図において、運用サーバ１と携帯機器２はインターネットを含むネットワークによって接続可能であり、本例においては、携帯機器２として携帯電話機の例で説明する。
【００１５】
運用サーバ１は楽曲データベース３、制御装置４、時計装置５、記憶装置６、選択装置７、通信装置８で構成されている。制御装置４は後述する楽曲データベース３に構築された楽曲表を参照し、携帯電話機２に表示する画面の選択を行う。また、時計装置５は日付と時刻情報を計数し、日時情報を制御装置４に提供する。また、記憶装置６は携帯電話機２に表示すべき画面表示情報を複数保持し、選択装置７は制御装置４からの情報に基づいて複数の画面表示情報の中から一つを選択する。
【００１６】
通信装置８は上記選択装置７によって選択された画面を携帯電話機２に送信する装置であり、画面表示情報は通信装置８から携帯電話機２に送信される。
【００１７】
ここで、上記楽曲データベース３の構成について説明する。図２は楽曲データベース３の構成を説明する図であり、楽曲データベース３は楽曲表で構成され、「楽曲ＩＤ記憶エリア」、「曲名記憶エリア」、「アーティスト名記憶エリア」、「番組名記憶エリア」、「日時記憶エリア」、「画面ＩＤ記憶エリア」で構成されている。
【００１８】
「楽曲ＩＤ記憶エリア」には、一連の番号が振られており、楽曲を特定する番号が記憶されている。「曲名記憶エリア」には、楽曲ＩＤに対応する曲名の情報が記憶され、「アーティスト名記憶エリア」には当該楽曲を演奏、又は歌うアーティスト名が記憶されている。また、「番組名記憶エリア」には、上記楽曲が演奏され、又は歌われるテレビ番組名、又は上記アーティストが出演するテレビ番組名が記憶される。さらに、「日時記憶エリア」には、当該テレビ番組が放送される日時の情報が記憶され、「画面ＩＤ記憶エリア」には当該テレビ番組が始まった際に表示する画面表示情報のＩＤが記憶される。
【００１９】
例えば、図２に示す例では、「楽曲ＩＤ記憶エリア」１に対応して、曲名Ｓ１の情報が「曲名記憶エリア」に登録され、アーティスト名Ａ１の情報が「アーティスト名記憶エリア」に登録され、番組名Ｐ１の情報が「番組名記憶エリア」に登録され、番組の開始日時である２００７年６月３日２０時００分（０７．６．３−２０：００）の情報が「日時記憶エリア」に登録され、画面ＩＤｔ１の情報が「画面ＩＤ記憶エリア」に登録されている。尚、「楽曲ＩＤ記憶エリア」２以降についても、同図に示す情報が登録されている。
【００２０】
以上の構成において、以下に本例の処理動作を説明する。
図３は本例の処理を説明するフローチャートである。先ず、制御装置４は時計装置５からの日時情報の入力を判断する（ステップ（以下、Ｓで示す）１）。この日時情報は、例えば１分間隔のタイミングで時計装置５から制御装置４に出力される。制御装置４はこの日時情報が入力すると（Ｓ１がＹ（ＹＥＳ））、入力した日時情報に基づいて楽曲データベース３を検索し（Ｓ２）、楽曲データベース３の「日時記憶エリア」に一致する情報（日時情報）が登録されているか判断する。
【００２１】
ここで、一致する日時情報が登録されている時（Ｓ３がＹ）、対応する「画面ＩＤ記憶エリア」から画面ＩＤを取得する（Ｓ４）。一方、「日時記憶エリア」に一致する日時情報が登録されていない場合（Ｓ３がＮ（ＮＯ））、日時情報の入力判断（Ｓ１）に戻る。
次に、制御装置４は楽曲データベース３から読み出した画面ＩＤの情報を選択装置７に出力し（Ｓ５）、記憶装置６から対応する画面表示情報を選択し、通信装置８に設けられた、例えばバッファに格納する（Ｓ６、Ｓ７’）。
【００２２】
図４は記憶装置６の構成を詳しく説明する図であり、記憶装置６には画面ＩＤｔ１〜ｔｎに対応する画面表示情報Ｔ１〜Ｔｎが登録されている。例えば、画面ＩＤｔ１に対応する画面表示情報は図４に示すＴ１であり、歌手Ａ１の着歌の情報が楽曲○○○、楽曲△△△、楽曲□□□、・・・として登録されている。また、画面ＩＤｔ２に対応する画面表示情報は図４に示すＴ２であり、歌手Ａ２の着歌の情報が楽曲×××、楽曲▽▽▽、楽曲◇◇◇として登録されている。以下、同図に示す構成の画面表示情報Ｔ３、Ｔ４、・・・Ｔｎが登録されている。
【００２３】
例えば、上記処理によって画面ＩＤｔ１が選択された場合、図４に示す画面表示情報Ｔ１が通信装置８のバッファに格納される。尚、前述の図２に示す例によれば、２００７年６月３日２０時００分（０７．６．３−２０：００）のテレビ番組の場合、画面ＩＤｔ１の他に、画面ＩＤｔ４も選択され、図４に示す画面表示情報Ｔ４も通信装置８のバッファに格納される（Ｓ７）。
【００２４】
次に、携帯電話機２から運用サーバ１（通信装置８）に画面表示の指示要求が行われるのを待ち、画面表示の指示要求があると、バッファに格納していた対応する画面表示情報を携帯電話機２に送信する。
【００２５】
図５はこの処理を説明するフローチャートであり、携帯電話機１は上記画面表示の指示要求を出力した（ステップ（以下、ＳＴで示す）１）後、運用サーバ１からの画面表示情報の入力を待ち（ＳＴ２）、画面表示情報が入力すると（ＳＴ２がＹ）、携帯電話機２のディスプレイに画面表示を行う（ＳＴ３）。
【００２６】
したがって、上記例の場合、携帯電話機２のディスクプレイには図４に示すＴ１、及びＴ４の画面表示が行われ、当該テレビ番組の視聴者は表示された画面を見て、アーティストＡ１、Ａ４の着歌を容易に選択することができる。すなわち、表示された画面の希望する楽曲を指定するだけで、例えばテレビ番組で歌われた音楽を直ちにダウンロードすることができる。
【００２７】
この点、例えば図６に示す従来の場合には、同図(ａ)に示す検索画面を表示し、例えば歌手Ａの氏名を入力し、同図(ｂ)に示す関連するページ情報を得、更にダウンロードを希望する楽曲を指定するため、同図（ｃ）の画面表示を行い、希望する楽曲の選択を行う。したがって、本例の処理に比べて手間の係る操作が必要であり、本例の処理が極めて容易な処理であることが分かる。
【００２８】
尚、上記説明では、通信装置８のバッファに画面表示データを一旦格納して携帯電話機２からの画面表示要求を待ったが、通信装置８から直ちに携帯電話機２に送信する構成としてもよい。このように構成することにより、テレビ番組が開始されると同時に、図４に示す画面表示が行われ、視聴者は１回の指示により希望する楽曲をダウンロードすることができる。
【００２９】
また、視聴者によって指定された楽曲のダウンロードは運用サーバ１の楽曲データベース３から供給する構成としてもよく、また楽曲の配信サーバから直接配信する構成としてもよい。
【００３０】
さらに、上記説明ではアーティスト名、曲名に関する情報について説明したが、例えば旅行番組の場合には、観光地の場所の情報と画面ＩＤの関係をデータベースに登録し、観光地の情報を視聴者の要求に基づいて提供する構成としてもよい。また、旅行の案内を行った俳優の情報や、番組中に流れたＢＧＭ等の情報を提供するように構成してもよい。
【図面の簡単な説明】
【００３１】
【図１】本発明のテレビ番組に連動した情報表示システムを説明する図である。
【図２】楽曲データベースの構成を説明する図である。
【図３】本実施形態の処理を説明するフローチャートである。
【図４】記憶装置の構成を説明する図である。
【図５】携帯電話機側の処理を説明するフローチャートである。
【図６】本実施形態と比較するための従来処理の画面遷移図である。
【符号の説明】
【００３２】
１・・・運用サーバ
２・・・携帯機器（携帯電話機）
３・・・楽曲データベース
４・・・制御装置
５・・・時計装置
６・・・記憶装置
７・・・選択装置
８・・・通信装置
【図１】
2009016968.tif 000003
【図２】
2009016968.tif 000004
【図３】
2009016968.tif 000005
【図４】
2009016968.tif 000006
【図５】
2009016968.tif 000007
【図６】
2009016968.tif 000008